(57)【要約】【課題】原稿のジャム処理や読取手段のメンテナンスの作業を簡略化し、装置の強度の低下を防止する。【解決手段】主搬送路３側の端部の底面にＣＩＳ２０を着脱自在に装着した原稿トレイ１を、軸体２１１，２１２及び凹部２２１，２２２によって、主搬送路３側の端部を支点として自動原稿搬送装置７２に回動自在に支持した。原稿トレイ１を上方に回動させることで、ＣＩＳ２０が装着されている原稿トレイ１の底面が外部に露出し、ＣＩＳ２０自体、及び主搬送路３におけるＣＩＳ２０の配置位置へ外部からのアクセスが可能になる。自動原稿搬送装置７２の底面に開閉部分を形成する必要がない。【選択図】図２
2010062712.tif 000002
【特許請求の範囲】
【請求項１】
装置本体の上部で画像読取処理前の原稿を収納する原稿トレイと、
前記原稿トレイの下方に前記原稿トレイとの間に空間を設けて配置され、画像読取処理後の原稿を収納する排紙トレイと、
前記装置本体の内部で前記原稿トレイから前記原稿排紙トレイまでの間にＵ字状の湾曲部を含んで形成された搬送路であって、前記湾曲部よりも下流側で前記原稿トレイにおける搬送路側の端部の下方を経由する搬送路と、
前記原稿トレイにおける前記搬送路側の端部の底面に着脱自在に装着され、搬送中の原稿の画像を読み取る読取手段と、
前記原稿トレイを前記搬送路側の端部を支点として前記装置本体に回動自在に支持する支持部材と、を設けた画像読取装置。
【請求項２】
前記支持部材は、前記原稿トレイを前記装置本体に対して着脱自在に支持する請求項１に記載の画像読取装置。
【請求項３】
前記支持部材は、前記原稿トレイから前記搬送路への原稿搬送方向に直交する方向の第１及び第２の端部側のそれぞれで、軸方向を前記直交する方向に平行にして配置される第１及び第２の軸体と、前記第１及び第２の軸体がそれぞれ前記直交する方向に嵌入する第１及び第２の凹部と、からなり、
前記第１の軸体及び前記第２の凹部を前記原稿トレイに形成し、前記第２の軸体及び前記第１の凹部を前記装置本体に形成した請求項１又は２に記載の画像読取装置。
【請求項４】
前記排紙トレイよりも上流側で前記搬送路の一部を構成する搬送ガイドであって、前記読取手段と一体的に前記搬送路側の端部の底面に着脱自在に装着された搬送ガイドをさらに備えた請求項１乃至３の何れかに記載の画像読取装置。
【請求項５】
前記原稿トレイは、背面側に前記搬送ガイドの背面側端部が前記原稿トレイの前面側から背面側に向かって係合する係合部を備え、
前記原稿トレイの前面側を前記搬送ガイドに前面側から背面側に向かって係合させる係合具をさらに備えた請求項４に記載の画像読取装置。
【請求項６】
前記読取手段は、等倍光学系センサである請求項１乃至５の何れかに記載の画像読取装置。
【請求項７】
請求項１乃至６のいずれかに記載の画像読取装置と、前記画像読取装置が原稿から読み取った画像データ基づいて記録媒体に画像を形成する画像形成部と、を備えた画像形成装置。
【発明の詳細な説明】
【技術分野】
【０００１】
この発明は、積層状態で載置されているシート状の原稿の画像を読み取る画像読取装置、及びこの画像読取装置を備えた画像形成装置に関する。
【背景技術】
【０００２】
原稿の画像を読み取る画像読取装置として、積層状態で載置されているシート状の原稿を１枚ずつ搬送し、原稿の表裏両面の画像を読み取ることができるようにしたものがある。この種の画像読取装置は、パーソナルコンピュータ及びプリンタを含むネットワークに接続されて使用されるだけでなく、複写機、ファクシミリ又は複合機等の画像形成装置に装着される。
【０００３】
原稿の表裏両面の画像を読み取る画像読取装置として、原稿を原稿搬送経路内で一方向に搬送する間に、原稿の表裏両面の画像を２つの読取手段のそれぞれで読み取る両面同時読取方式の画像読取装置がある（例えば、特許文献１参照。）。
【０００４】
原稿トレイから排紙トレイまでの間にＵ字状の湾曲部を含む搬送路を形成し、湾曲部の外側に搬送中の原稿の第１面に対向する第１読取手段を配置するとともに、湾曲部下流側で搬送中の原稿の第２面に対向する第２読取手段を配置している。搬送路及び第２読取手段は、原稿トレイ及び排紙トレイを備えた自動原稿搬送装置に設けられている。自動原稿搬送装置は、第１読取手段の上面に背面側をヒンジに回動自在にされている。
【０００５】
搬送路における第２読取手段の配置位置近傍での原稿のジャム処理時や第２読取手段のメンテナンス時の利便性を考慮して、自動原稿搬送装置の底面及び第２読取手段の配置位置で搬送路を構成する搬送ガイドを開閉自在にしている。
【特許文献１】特開２００６−７４６０８号公報
【発明の開示】
【発明が解決しようとする課題】
【０００６】
しかし、特許文献１に記載された従来の画像読取装置では、搬送路における第２読取手段の配置位置近傍での原稿のジャム処理時や第２読取手段のメンテナンス時に、自動原稿搬送装置の底面及び搬送ガイドを開閉しなければならず、作業が煩雑化する。また、自動原稿搬送装置の底面及び搬送ガイドを開閉自在に構成する必要があるため、自動原稿搬送装置の強度が低下する。
【０００７】
この発明の目的は、読取手段を原稿トレイの底面に着脱自在に装着することで原稿のジャム処理や読取手段のメンテナンスの作業を簡略化することができるとともに、装置の強度の低下を防止できる原稿読取装置及び画像形成装置を提供することにある。
【課題を解決するための手段】
【０００８】
この発明の画像読取装置は、原稿トレイ、排紙トレイ、搬送路、読取手段、支持部材を備えている。原稿トレイは、装置本体の上部で画像読取処理前の原稿を収納する。排紙トレイは、原稿トレイの下方に原稿トレイとの間に空間を設けて配置され、画像読取処理後の原稿を収納する。搬送路は、装置本体の内部で原稿トレイから原稿排紙トレイまでの間にＵ字状の湾曲部を含んで形成されており、湾曲部よりも下流側で原稿トレイにおける搬送路側の端部の下方を経由する。読取手段は、原稿トレイにおける搬送路側の端部の底面に着脱自在に装着され、搬送中の原稿の画像を読み取る。支持部材は、原稿トレイを搬送路側の端部を支点として装置本体に回動自在に支持する。
【０００９】
この構成においては、搬送路側の端部の底面に読取手段を着脱自在に装着した原稿トレイが、支持部材によって搬送路側の端部を支点として装置本体に回動自在に支持される。したがって、原稿トレイを回動させることで、読取手段が装着されている底面が外部に露出し、読取手段自体、及び搬送路における読取手段の配置位置へ外部からのアクセスが可能になる。
【００１０】
この構成において、支持部材によって原稿トレイを装置本体に対して着脱自在に支持することが好ましい。原稿トレイの交換作業が容易になり、読取手段の有無に応じた機能変更に対応することができる。
【００１１】
また、排紙トレイよりも上流側で搬送路の一部を構成し、読取手段と一体的に搬送路側の端部の底面に着脱自在に装着された搬送ガイドを備えることが好ましい。
【００１２】
さらに、原稿トレイの背面側に搬送ガイドの背面側端部が原稿トレイの前面側から背面側に向かって係合する係合部を備え、原稿トレイの前面側を搬送ガイドに前面側から背面側に向かって係合させる係合具を備えることが好ましい。搬送ガイドを原稿トレイに対して前面側から容易に着脱することができる。
【発明の効果】
【００１３】
この発明によれば、読取手段を原稿トレイの底面に着脱自在に装着することで原稿のジャム処理や読取手段のメンテナンスの作業を簡略化することができるとともに、装置の強度の低下を防止できる。
【発明を実施するための最良の形態】
【００１４】
以下に、この発明の実施形態に係る画像読取装置を備えた画像形成装置について図面を参照して説明する。
【００１５】
図１は、この発明の画像読取装置を備えた画像形成装置の概略の正面断面図である。画像形成装置１００は、原稿から読み取った画像データに基づいて所定の用紙（記録媒体）に多色又は単色の画像を形成する。このため、画像形成装置１００は、本体の上部に画像読取装置１２０を装着し、内部に画像形成部１１０及び給紙部１３０を備えている。
【００１６】
画像読取装置１２０は、スキャナユニット７０、原稿台７１、自動原稿搬送装置７２を備えている。画像読取装置１２０の詳細については後述する。
【００１７】
画像形成部１１０は、中間転写ベルトユニット４０、画像形成ステーション３０Ａ〜３０Ｄ、２次転写ユニット５０、露光ユニット６０、定着ユニット７０を備えている。中間転写ベルトユニット４０は、無端ベルトである中間転写ベルト４１を駆動ローラ４２及び従動ローラ４３等によって回転自在に張架している。
【００１８】
画像形成ステーション３０Ａ〜３０Ｄは、それぞれブラック、シアン、マゼンタ及びイエローの各色の現像剤を用いて電子写真方式の画像形成を行う。例えば、画像形成ステーション３０Ａは、感光体ドラム３１Ａの周囲に帯電器３２Ａ、現像器３３Ａ、１次転写器３４Ａを配置している。画像形成ステーション３０Ｂ３〜３０Ｄは、画像形成ステーション３０Ａと同様に構成されている。
【００１９】
露光ユニット６０は、図示しない半導体レーザ、ポリゴンミラー６１、ｆθレンズ６２、ミラー６３等を備えている。露光ユニット６０は、画像読取装置１２０で読み取られたブラック、シアン、マゼンタ及びイエローの各色の画像データに基づいて半導体レーザを駆動し、各色のレーザ光を画像形成ステーション３０Ｂ３〜３０Ｄに配光する。露光ユニット６０は、画像データに基づいて駆動されるＬＥＤアレイ等の半導体レーザ以外の光源を用いたものであってもよい。
【００２０】
例えば、画像形成ステーション３０Ａでは、感光体ドラム３１Ａの周面が、帯電器３２Ａによって均一に帯電された後、露光ユニット６０から配光されたブラックの画像データに基づくレーザ光で露光される。これによって、感光体ドラム３１Ａの周面に、ブラックの画像データに基づく静電潜像が形成される。次いで、感光体ドラム３１Ａの周面には、現像器３３Ａからブラックの現像剤が供給され、静電潜像がブラックのトナー像に可視像化される。感光体ドラム３１Ａの周面に形成されたトナー像は、１次転写器３４Ａによって中間転写ベルト４１の表面に転写される。
【００２１】
カラー画像形成時には、画像形成ステーション３０Ｂ〜３０Ｄでも、シアン、マゼンタ及びイエローの各色について、画像形成ステーション３０Ａと同様の処理が行われる。ブラック、シアン、マゼンタ及びイエローの各色のトナー像が、中間転写ベルト４０の表面で重ね合わされる。
【００２２】
給紙ユニット１３０は、給紙カセット８１、手差しトレイ８２、用紙主搬送路８３、用紙副搬送路８４を備えている。給紙カセット８１には、使用頻度の比較的高いサイズ及び種類の用紙が複数枚収納される。手差しトレイ８２には、使用頻度の比較的低いサイズや種類の用紙が載置される。
【００２３】
用紙主搬送路８３は、給紙カセット８１及び手差しトレイ８２から中間転写ベルト４０と２次転写ユニット５０との間、及び定着ユニット７０を経由して排紙部９０に至る間に形成されている。２次転写ユニット５０は、中間転写ベルトの表面に担持されたトナー像を用紙に転写する。定着ユニット７０は、トナー像が転写された用紙を加熱及び加圧し、用紙にトナー像を定着させる。
【００２４】
用紙副搬送路８４は、用紙主搬送路８３における定着ユニット７０の通過位置と排紙ローラ９１の配置位置との間から２次転写ユニット５０の配置位置の上流側との間に形成されている。用紙副搬送路８４は、用紙の両面に画像を形成する際に、第１面に画像が形成されて定着ユニット７０を通過した後に排紙ローラ９１で前後端を反転された用紙を中間転写ベルト４０と２次転写ユニット５０との間に導く。
【００２５】
図２は、この発明の実施形態の一例である画像読取装置の概略の正面断面図である。画像読取装置１２０は、スキャナユニット７０、原稿台７１、自動原稿搬送装置７２を備え、原稿の表裏両面の画像を原稿反転読取方式及び両面同時読取方式の何れかで読み取る。
【００２６】
スキャナユニット７０は、一例として、光源７０Ａ、ミラー７０Ｂ〜７０Ｄ、ＣＣＤ７０Ｅ及びレンズ７０Ｆを備えた縮小光学系センサであり、高精度で画像を読み取ることができる。原稿台７１は、硬質板ガラスで構成され、画像形成装置１００の本体上面に取り付けられている。
【００２７】
スキャナユニット７０は、原稿台７１に載置された原稿の画像を読み取る場合に、光源７０Ａ及びミラー７０Ｂ〜７０Ｄを水平方向に移動させ、原稿の下面の画像をレンズ７０Ｆを介してＣＣＤ７０Ｅに導く。この時、光源７０Ａ及びミラー７０Ｂはミラー７０Ｃ及び７０Ｄに対して１／２の速度で移動し、原稿の画像面からＣＣＤ７０Ｅまでの光路長を一定に維持する。
【００２８】
自動原稿搬送装置７２は、この発明の装置本体に相当し、画像形成装置１００の本体上面の背面側で回動自在に支持されている。作業者が原稿台７１上に手動操作で原稿を載置する場合、自動原稿搬送装置７２を回動操作して原稿台７１の上面を開閉する。
【００２９】
自動原稿搬送装置７２は、画像読取前の原稿を収納する原稿トレイ１、及び画像読取後の原稿を収納する排紙トレイ２を備えている。排紙トレイ２は、原稿トレイ１の下方で、原稿トレイ１の底面との間に所定の空間を設けて配置されている。
【００３０】
自動原稿搬送装置７２の内部には、原稿トレイ１から副原稿台７１Ａに対向する位置を経由して排紙トレイ２に至る間に、略Ｕ字状の湾曲部３Ａを含む主搬送路３が形成されている。主搬送路３はこの発明の搬送路である。
【００３１】
主搬送路３内には、副原稿台７１Ａが配置されている位置と排紙トレイ２との間に分岐位置３Ｂが形成されており、主搬送路３内で原稿トレイ１と副原稿台７１Ａが配置されている位置との間に合流位置３Ｃが形成されている。分岐位置３Ｂと合流位置３Ｃとの間には、反転搬送路８が形成されている。分岐位置３Ｂには、切換爪９が揺動自在に配置されている。切換爪９は、主搬送路３内の副原稿台７１Ａの配置位置から搬送ローラ７Ｄの配置位置へ向かう方向、又は搬送ローラ７Ｄの配置位置から副搬送路８へ向かう方向の何れかを択一的に開放する。
【００３２】
主搬送路３には、ピックアップローラ４、繰り出しローラ５、捌きローラ６、搬送ローラ対７Ａ〜７Ｄ、排紙ローラ対１０が回転自在に配置されている。ピックアップローラ４は、図中時計方向に回転しつつ原稿トレイ１上に載置された原稿の最上面に当接する。繰り出しローラ５及び捌きローラ６は、図中時計方向に回転して最上位の１枚の原稿のみを主搬送路３内に導く。搬送ローラ対７Ａ〜７Ｃは、主搬送路３内に導かれた原稿を排紙トレイ２に向けて搬送する。搬送ローラ対７Ｄ及び排紙ローラ対１０は、正逆両方向に回転駆動され、正転時に原稿を排紙トレイ２に排出し、逆転時に前後端を反転した状態で原稿を副搬送路８内に導く。
【００３３】
主搬送路３における搬送ローラ７Ｄと排紙ローラ対１０との間を挟んで、等倍光学系センサである密着型画像センサ（以下、ＣＩＳという。）２０が上側に、シェーディング補正板２５が下側に、それぞれ配置されている。ＣＩＳ２０は、この発明の読取手段であり、光源２１、ロッド状レンズ２２、読取素子２３を含み、高速で画像を読み取ることができる。
【００３４】
ＣＩＳ２０は、原稿トレイ１における主搬送路３側の端部の底面に着脱自在に装着されている。ＣＩＳ２０は、原稿トレイ１における主搬送路３側の端部の下方に配置されていればよく、必ずしも原稿トレイ１の底面に着脱自在に装着されている必要はない。
【００３５】
原稿トレイ１の底面には、主搬送路３から排紙トレイ２への原稿の排紙方向におけるＣＩＳ２０よりも下流側に冷却ファン１１が配置されている。冷却ファン１１は、ＣＩＳ２０で発生した熱を原稿トレイ１と排紙トレイ２との間の空間に排出し、ＣＩＳ２０を効果的に冷却できる。
【００３６】
なお、この発明の読取手段は、ＣＩＳに限るものではなく、原稿トレイ１における主搬送路３側の端部の下方に配置できることを条件に、任意のセンサを用いることができる。
【００３７】
シェーディング補正板２５は、支持台２７の上面に固定されている。支持台２７は、搬送ガイド２４にスプリング２６を介して支持されている。スプリング２６は、支持台２７を上方に向けて付勢している。搬送ガイド２４は、主搬送路３の一部を構成している。搬送ガイド２４は、シェーディング補正板２５、スプリング２６、支持台２７と一体的に、排紙トレイ２における主搬送路３側の端部に着脱自在に装着されている。
【００３８】
スキャナユニット７０は、自動原稿搬送装置７２が搬送する原稿の表面（原稿トレイ１に載置された原稿の上面）のみから画像を読み取る場合、光源７０Ａ及びミラー７０Ｂを副原稿台７１Ａに対向する位置に停止させ、光源７０Ａの上方を通過する原稿の画像をＣＣＤ７０Ｅに導く。
【００３９】
ＣＩＳ２０を主搬送路３内の湾曲部よりも下流側で、かつ原稿トレイ１における主搬送路３側の端部の下方に配置しているため、主搬送路３の湾曲部３Ａの内側にＣＩＳ２０を配置するスペースを設ける必要が無い。湾曲部３Ａの曲率を小さくすることが妨げられず、自動原稿搬送装置７２を小型化できる。
【００４０】
画像読取装置１２０は、両面同時読取時には、原稿を原稿トレイ１から主搬送路３を経由して排紙トレイ２に搬送する間に、スキャナユニット７０によって原稿の第１面の画像を読み取り、ＣＩＳ２０によって原稿の第２面の画像を読み取る。
【００４１】
画像読取装置１２０は、原稿の両面の画像をモノクロ画像データとして読み取る両面同時読取方式の読取処理時にスキャナユニット７０の読取精度をＣＩＳ２０の読取精度に一致させ、自動原稿搬送装置７２の原稿搬送速度をＣＩＳ２０の読取速度に基づいて決定する。原稿の表裏面の画像が同一の読取精度で読み取られ、用紙上に再現される画像の品質を一定に保つことができるとともに、比較的高速で読取処理を行うことができる。原稿の両面の画像をカラー画像データとして読み取る場合であっても、用紙上に再現される画像の品質を高く維持する必要のない場合には、両面同時読取方式の読取処理を高速で行うようにしてもよい。
【００４２】
画像読取装置１２０は、原稿反転読取時には、第１面の画像がスキャナユニット７０で読み取られた原稿を、搬送ローラ対７Ｄ及び排紙ローラ対１０の逆転によって前後端を反転して反転搬送路８に導く。これによって、１枚の原稿を表裏面を反転した状態で副原稿台７１Ａの配置位置に２度通過させ、各通過時にスキャナユニット７０によって原稿の第１面及び第２面の画像をそれぞれ読み取る。
【００４３】
画像読取装置１２０は、原稿の両面の画像をカラー画像データとして読み取る原稿反転読取時に、自動原稿搬送装置７２の原稿搬送速度をスキャナユニット７０による高精度の読取処理時の読取速度に基づいて決定する。原稿の表裏面の画像が同一の読取精度で読み取られ、用紙上に再現される画像の品質を一定に保つことができるとともに、高画質の読取処理を行うことができる。原稿の両面の画像をモノクロ画像データとして読み取る場合であっても、用紙上に再現される画像の品質を高く維持する必要がある場合には、原稿反転方式によって読取処理を行うようにしてもよい。
【００４４】
図３は、原稿トレイの平面図である。原稿トレイ１における主搬送路３側の端部には背面側に第１の軸体２１１が背面方向に延出して形成されており、前面側には第２の凹部２２２が形成されている。自動原稿搬送装置７２の上部における背面側には第１の凹部２２１が形成されており、前面側には第２の軸体２１２が着脱自在に取り付けられている。
【００４５】
軸体２１１は、凹部２２１に前面側から背面側に向かって係合する。軸体２１１は、円形断面の孔部である凹部２１１に係合した状態で、軸廻りに回転自在にされる。軸体２１２は、凹部２２２に前面側から背面側に向かって係合する。円形断面の穴部である凹部２２２は、軸体２１２が係合した状態で、軸体２１２の軸廻りに回転自在にされる。軸体２１１，２１２及び凹部２２１，２２２は、この発明の支持部材を構成している。
【００４６】
したがって、原稿トレイ１は、主搬送路３側の端部を支点として、自動原稿搬送装置１の上部に回転自在に支持されている。
【００４７】
図４は、原稿トレイを回動させた状態の画像読取装置の正面図である。画像読取装置１２０の自動原稿搬送装置７２において、原稿トレイ１を主搬送路３側の端部を支点に上方に回動させると、原稿トレイ１の底面が外部に露出し、原稿トレイ１の主搬送路３側の端部の底面に装着されているＣＩＳ２０に容易にアクセスすることができる。
【００４８】
また、ＣＩＳ２０の配置位置で主搬送路３を構成する上側の搬送ガイド２９も原稿トレイ１とともに上方に回動し、下側の搬送ガイド２４から離間する。このため、ＣＩＳ２０の配置位置で停留した原稿のジャム処理を容易に行うことができる。
【００４９】
原稿トレイ１を回動させるだけで、ＣＩＳ２０の配置位置でのジャム処理やＣＩＳ２０のメンテナンスを行うことができ、作業性が向上する。また、ＣＩＳ２０の配置位置でのジャム処理時やＣＩＳ２０のメンテナンス時の作業性を考慮して、自動原稿搬送装置７２の底面側に開閉部分を形成する必要がなく、自動原稿搬送装置７２の強度を確保でき、小型化に貢献できる。
【００５０】
図５は、原稿トレイの底面側から見た斜視図である。原稿トレイ１の主搬送路３側の端部における背面側及び前面側には、それぞれ固定板２３１，２３２が取り付けられている。固定板２３１には２個の係合孔２４１が形成されており、固定板２３２には２個の嵌入孔２４２及び１個の貫通孔２４３が形成されている。
【００５１】
ＣＩＳ２０が取り付けられる搬送ガイド２９の背面には２個の係止片２５１が形成されており、前面には２個の突起２５２及び１個のネジ孔２５３が形成されている。係止片２５１は、背面側に延出しており、係合孔２４１に前面側から背面側に向かって係合する。突起２５２は、前面側に延出しており、嵌入孔２４２に背面側から前面側に向かって嵌入する。
【００５２】
係止片２５１が係合孔２４１に係合するとともに、突起２５２が嵌入孔２４２に嵌入した状態で、ネジ孔２５３が貫通孔２４３に対向する。貫通孔２４３を前面側から背面がわに向かって貫通した固定ネジ２５４をネジ孔２５３に螺合させることで、搬送ガイド２９が原稿トレイ１に固定される。
【００５３】
したがって、固定ネジ２５４の着脱によってＣＩＳ２０とともに上側の搬送ガイド２９を原稿トレイ１の底面に、前面側から着脱することができ、ＣＩＳ２０の交換作業を含むメンテナンスを容易に行うことができる。
【００５４】
図２で説明したように、ＣＩＳ２０は、冷却ファン１１とともに、原稿トレイ１の底面に着脱自在に装着されている。また、下側の搬送ガイド２４は、シェーディング補正板２５、スプリング２６、支持台２７と一体的に、原稿排紙方向における排紙トレイ２の上流側端部に着脱自在に装着されている。
【００５５】
したがって、ＣＩＳ２０、冷却ファン１１、搬送ガイド２４、シェーディング補正板２５、スプリング２６、支持台２７は、画像読取装置１２０に容易に装着できるとともに、画像読取装置１２０から比較的容易に取り外すことができる。
【００５６】
このため、それまで行われていた原稿の表裏両面から画像を読み取る処理が不要になった場合や、それまで行われていなかった原稿の表裏両面から画像を読み取る処理が必要になる場合に、両面読取機能の削除及び追加を容易に行うことできる。
【００５７】
原稿トレイ１の下方には排紙トレイ２との間に空間が設けられている。このため、原稿トレイ１の下流側端部の下方に対するＣＩＳ２０、冷却ファン１１、搬送ガイド２４、シェーディング補正板２５、スプリング２６、支持台２７の着脱作業を、他の部品に干渉することなく容易に行うことができる。
【００５８】
また、シェーディング補正板２５、スプリング２６及び支持台２７は、搬送ガイド２４と一体にされているため、着脱作業をより容易に行うことができる。但し、搬送ガイド２４、シェーディング補正板２５、スプリング２６、支持台２７の一部又は全部を個別に着脱するようにしたものであってもよく、ＣＩＳ２０及び冷却ファン１１を搬送ガイド２４に一体にすることもできる。
【００５９】
なお、反転搬送路８が形成されておらず、原稿の表裏両面からの画像の読取処理を両面同時読取方式でのみ行う自動原稿搬送装置７２であっても、この発明を同様に実施することができる。
【００６０】
上述の実施形態の説明は、すべての点で例示であって、制限的なものではない。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００６１】
【図１】この発明の画像読取装置を備えた画像形成装置の概略の正面断面図である。
【図２】この発明の実施形態の一例である画像読取装置の概略の正面断面図である。
【図３】原稿トレイの平面図である。
【図４】原稿トレイを回動させた状態の画像読取装置の正面図である。
【図５】原稿トレイの底面側から見た斜視図である。
【符号の説明】
【００６２】
１−原稿トレイ
２−排紙トレイ
３−主搬送路（搬送路）
８−反転搬送路
２０−ＣＩＳ（読取手段）
７０−スキャナユニット
７２−自動原稿搬送装置
１００−画像形成装置
１２０−画像読取装置
【図１】
2010062712.tif 000003
【図２】
2010062712.tif 000004
【図３】
2010062712.tif 000005
【図４】
2010062712.tif 000006
【図５】
2010062712.tif 000007